(57)【特許請求の範囲】
【請求項１】
開状態と閉状態の切り替えが可能な止水栓装置であって、
第１流路と、前記第１流路の下流側に連通し前記第１流路と交差する方向に延びる第２流路と、を内部に有する本体部と、
前記第１流路内に脱着可能に取り付けられ、前記第１流路の上流側から流れ込む流水をその外周に設けられた濾過材の内側から外側に通過させて前記第２流路に導くことで流水中の異物を除去する筒状のストレーナと、
前記ストレーナよりも上流側から前記ストレーナの内側にまで延びて設けられ、前記第１流路を開閉する駒弁を有する止水栓部材と、を備え、
前記止水栓部材は、前記開状態のときに前記ストレーナの上流側の開口面よりも下流側で且つ前記濾過材よりも上流側の位置において、前記ストレーナ内に流れ込んだ流水の流れを前記ストレーナの外周側に向けるガイド部を外周に有し、前記ガイド部は前記駒弁よりも下流側に設けられる止水栓装置。
【請求項２】
前記止水栓部材は、上流側に設けられた小径部と、下流側に設けられ前記小径部よりも外径が大きい大径部と、を有し、
前記ガイド部は、前記小径部と前記大径部との境界に形成された段部又はテーパ部により構成される請求項１に記載の止水栓装置。
【発明の詳細な説明】
【技術分野】
【０００１】
本発明は、止水栓装置に関する。より詳しくは、ストレーナを備える止水栓装置に関する。
【背景技術】
【０００２】
従来、流路を開閉する止水栓部材が設けられた流路内に、筒状のストレーナが取り付けられた止水栓装置が知られている（例えば、特許文献１参照）。この止水栓装置では、流路内に流れ込んだ流水を、ストレーナの外周に設けられた濾過材の内側から外側に通過させることにより、流水中の異物が除去される。
【先行技術文献】
【特許文献】
【０００３】
【特許文献１】特開２０１０−２２１１２５号公報
【発明の概要】
【発明が解決しようとする課題】
【０００４】
しかしながら、従来の止水栓装置では、止水栓部材により開かれた流路内に勢い良く流れ込んだ流水は、ストレーナ内に導かれた後、外周に設けられたメッシュ等の濾過材の内側近傍において、外周側に向かって略直角に曲げられて下流側の流路に導かれる。そのため、流水が曲がる際に乱流が発生し易く、これにより、メッシュ等の濾過材が破損するおそれがあった。
【０００５】
本発明は上記に鑑みてなされたものであり、その目的は、乱流の発生を抑制できる止水栓装置を提供することにある。
【課題を解決するための手段】
【０００６】
上記目的を達成するため本発明は、開状態と閉状態の切り替えが可能な止水栓装置（例えば、後述の止水栓装置５０）であって、第１流路（例えば、後述の第１流路６１）と、前記第１流路の下流側に連通し前記第１流路と交差する方向に延びる第２流路（例えば、後述の第２流路６２）と、を内部に有する本体部（例えば、後述の本体部６）と、前記第１流路内に脱着可能に取り付けられ、前記第１流路の上流側から流れ込む流水をその外周に設けられた濾過材（例えば、後述のメッシュ８１３）の内側から外側に通過させて前記第２流路に導くことで流水中の異物を除去する筒状のストレーナ（例えば、後述のストレーナ８）と、前記ストレーナよりも上流側から前記ストレーナの内側にまで延びて設けられ、前記第１流路を開閉する駒弁（例えば、後述の駒弁７１）を有する止水栓部材（例えば、後述の止水栓部材７）と、を備え、前記止水栓部材は、前記開状態のときに前記ストレーナの上流側の開口面（例えば、開口面８ａ）よりも下流側で且つ前記濾過材よりも上流側の位置において、前記ストレーナ内に流れ込んだ流水の流れを前記ストレーナの外周側に向けるガイド部（例えば、後述のテーパ部７３４）を外周に有し、前記ガイド部は前記駒弁よりも下流側に設けられる止水栓装置を提供する。
【０００７】
前記止水栓部材は、上流側に設けられた小径部（例えば、後述の上流側小径部７３１）と、下流側に設けられ前記小径部よりも外径が大きい大径部（例えば、後述の大径部７３２）と、を有し、前記ガイド部は、前記小径部と前記大径部との境界に形成された段部又はテーパ部（例えば、後述のテーパ部７３４）により構成されることが好ましい。
【発明の効果】
【０００８】
本発明によれば、乱流の発生を抑制できる止水栓装置を提供できる。
【図面の簡単な説明】
【０００９】
【図１】本発明の一実施形態に係る止水栓装置を備える便器装置の側面図である。
【図２】上記実施形態に係る止水栓装置を備える便器装置の正面図である。
【図３】上記実施形態に係る止水栓装置の分解斜視図である。
【図４】上記実施形態に係る止水栓装置の開状態における縦断面斜視図である。
【図５】上記実施形態に係る止水栓装置の開状態における縦断面図である。
【図６】上記実施形態に係る止水栓装置の閉状態における縦断面図である。
【図７】上記実施形態に係る止水栓装置の本体部の横断面図である。
【図８】図５の要部拡大図である。
【図９】図６の要部拡大図である。
【発明を実施するための形態】
【００１０】
以下、本発明の一実施形態について、図面を参照しながら詳細に説明する。
図１は、本実施形態に係る止水栓装置を備える便器装置の側面図である。図２は、本実施形態に係る止水栓装置を備える便器装置の正面図である。
【００１１】
これら図１及び図２に示すように、本実施形態に係る止水栓装置５０は、外部からトイレルームＲ内の床Ｆまで引き込まれた給水元管（不図示）と、後述する便器装置１００の給水管４１とを連結する。また、止水栓装置５０は、給水管４１の通水と止水とを切り替える機能を有する。
【００１２】
先ず、便器装置１００について説明する。
便器装置１００は、図１及び図２に示すように、便器１０と、洗浄水タンク２０と、洗浄水タンク２０の前側に配置される背もたれ部３０と、洗浄水タンク２０の下方に配置されるサイドカバー４０と、を備える。
【００１３】
便器１０は、便器本体１１と、便器本体１１の上部に便器本体１１に対して開閉可能に取り付けられる便座１２と、を有する。便器本体１１は、上面に開口（不図示）が形成されている。便座１２は、平面視において中央に開口（不図示）が形成されている。
【００１４】
洗浄水タンク２０は、図１及び図２に示すように、便器１０の後方且つ上方に配置される。洗浄水タンク２０の両側の側面には、肘掛け用の一対の肘掛部２０１，２０１が設けられる。一対の肘掛部２０１，２０１は、洗浄水タンク２０の両側の側面から、洗浄水タンク２０の前方側に延びるように形成される。図２に示すように、洗浄水タンク２０の一方側の側面には、操作ボタン２０２が設けられる。操作ボタン２０２は、洗浄水タンク２０に貯留された洗浄水を、洗浄水タンク２０から放出するためのボタンである。
【００１５】
背もたれ部３０は、洗浄水タンク２０の前面に取り付けられる。使用者は、用便中にこの背もたれ部３０に背中をもたれさせることができるようになっている。
【００１６】
サイドカバー４０は、便器装置１００の下部において、便器１０の後方に配置される。サイドカバー４０の内部には、給水管４１や排水管（不図示）が配置される。給水管４１は、後述する止水栓装置５０に接続され、便器装置１００に給水をする。排水管は、便器１０から排出された洗浄水を外部へ排出する。
【００１７】
次に、本実施形態に係る止水栓装置５０について、図３〜図７を参照して説明する。
ここで、図３は、本実施形態に係る止水栓装置５０の分解斜視図である。図４は、止水栓装置５０の開状態における縦断面斜視図である。図５は、止水栓装置５０の開状態における縦断面図である。図６は、止水栓装置５０の閉状態における縦断面図である。図７は、本実施形態に係る止水栓装置５０の本体部６の横断面図である。なお、図７では本体部６のみを示している。
【００１８】
図３に示すように、止水栓装置５０は、本体部６と、止水栓部材７と、ストレーナ８と、キャップ９と、を備える。止水栓部材７、ストレーナ８及びキャップ９はいずれも、後述する本体部６の第１流路６１と同軸Ｘ上に配置される。
【００１９】
本体部６は、第１流路６１と、第２流路６２と、を備える。第１流路６１は、上下方向に直線状に延びる略円筒状の配管により構成される。第２流路６２は、第１流路６１の下流端（図３では上端）に連通し、第１流路６１と直交する水平方向に延びる略円筒状の配管により構成される。即ち、第１流路６１と第２流路６２は、互いの中心軸Ｘ，Ｙ同士が直交して連通している。
【００２０】
第１流路６１の上流側（図３では下方）は、下流側と比べて外径が小さく形成され、床Ｆに形成された取り付け孔（不図示）に挿通される。また、第１流路６１の上流端の外周には雄ねじ部６１ａが形成され、この雄ねじ部６１ａに給水元管（不図示）側の雌ねじが螺合される。これにより、第１流路６１の上流端に給水元管が接続され、給水元管から供給される水が第１流路６１内に供給される。
【００２１】
図４〜図６に示すように、第１流路６１は、上流側に設けられた上流側流路６１１と、下流側に設けられた下流側流路６１２と、これら上流側流路６１１と下流側流路６１２との間に設けられた止水孔部６１３と、を有する。
【００２２】
上流側流路６１１は、下流側流路６１２よりも内径が小さく、その軸Ｘ方向において径は一定である。この上流側流路６１１には、給水元管から水が供給される。
【００２３】
下流側流路６１２は、上流側流路６１１よりも内径が大きく形成される。この下流側流路６１２には、後述するようにその下流側（下流端）から軸Ｘ方向に内周面に沿ってストレーナ８が挿入されて収容される。そのため、下流側流路６１２の内周形状は、ストレーナ８の外周形状に沿った形状となっている。即ち、後述するストレーナ８の小径部８１１及び大径部８１２に対応して、下流側流路６１２には、上流側に設けられた小径流路６１２ａと、下流側に設けられ小径流路６１２ａよりも内径が大きい大径流路６１２ｂが設けられている。これにより、下流側流路６１２の内周面とストレーナ８の大径部８１２の外周面との間には僅かな隙間しか形成されず、ストレーナ８の大径部８１２がガイドの機能を発揮するため、挿入時にストレーナ８が傾くのが抑制される。
【００２４】
また下流側流路６１２の下流端の内周には、雌ねじ部６１２ｃが形成されている。この雌ねじ部６１２ｃには、後述するストレーナ８の下流端に接続されるキャップ９の上流端外周に形成された雄ねじ部９ａが螺合する。
【００２５】
止水孔部６１３は、止水孔６１３ａと、弁座６１３ｂと、雌ねじ部６１３ｃとから構成される。
止水孔６１３ａは、上流側流路６１１よりもさらに小径の孔により形成される。弁座６１３ｂは、下流側ほど拡径するテーパ状に形成され、後述する止水栓部材７の先端に設けられた駒弁７１が着座する。これにより、止水孔６１３ａが閉じられて止水される。雌ねじ部６１３ｃには、止水栓部材７の雄ねじ部７２が螺合する。
【００２６】
ここで、図７に示すように、下流側流路６１２の上流端の底面部６１２ｅには、一対の切欠き部６１２ｆが形成されている。これにより、後述する止水栓部材７の先端に設けられた駒弁７１が弁座６１３ｂから脱座しているときには、下流側流路６１２内に通水されるようになっている。
【００２７】
図３〜図６に示すように、第２流路６２の下流端の外周には、溝部６２ａが形成される。この溝部６２ａに上述の給水管４１が嵌合されることで、第２流路６２に給水管４１が接続される。第２流路６２は、第１流路６１の下流側流路６１２に接続されて互いに連通している。
【００２８】
図３に示すように、止水栓部材７は、全体として略円筒状に形成される。止水栓部材７は、駒弁７１と、雄ねじ部７２と、スピンドル７３と、を有する。この止水栓部材７は、第１流路６１を開閉する機能を有する。なお、止水栓部材７の軸Ｘ方向長さは、上述の下流側流路６１２の軸Ｘ方向長さよりも長く設定され、止水栓部材７は、後述するストレーナ８よりも上流側からストレーナ８の内側を通ってその下流端にまで延びている。
【００２９】
駒弁７１は、止水栓部材７の先端に設けられ、ねじ７ａによりスピンドル７３の先端に取り付けられる。この駒弁７１が上述の弁座６１３ｂに着座することにより、第１流路６１が閉弁される。
【００３０】
雄ねじ部７２は、駒弁７１よりも大径であり、上述した止水孔部６１３の雌ねじ部６１３ｃに螺合する。これにより、第１流路６１の軸Ｘ方向における止水栓部材７の位置が調整されるとともに、第１流路６１内に止水栓部材７が取り付け固定される。即ち、止水栓部材７は、雄ねじ部７２と雌ねじ部６１３ｃとの螺合により、第１流路６１の軸Ｘ方向に進退し、駒弁７１が弁座６１３ｂに着座又は脱座することにより、第１流路６１を開閉する。
【００３１】
スピンドル７３は、略円筒状に形成される。スピンドル７３の下流端面には、溝部７３ａが形成される。この溝部７３ａに、例えばマイナスドライバ等を嵌合し、この状態で軸Ｘ回りに回転させることで、雄ねじ部７２と雌ねじ部６１３ｃの螺合を介して止水栓部材７が第１流路６１の軸Ｘ方向に進退する。
また、スピンドル７３の下流側の外周には、Ｏリング７３ｂが取り付けられている。これにより、スピンドル７３と後述するキャップ９との密閉性が確保される。
なお、このスピンドル７３のより詳細な構造については、後段で詳述する。
【００３２】
ストレーナ８は、第１流路６１の下流側（下流端）から第１流路６１の内周面に沿って軸Ｘ方向に挿入され、第１流路６１内に着脱可能に取り付けられる。ストレーナ８は、ストレーナ本体８１と、連結部８２と、ゴミキャッチリング８３と、を有する。このストレーナ８は、円筒状に形成され、第１流路６１の上流側から流れ込む流水を、その内側から外側（後述のメッシュ８１３）に通過させて第２流路６２に導くことで、流水中の異物を除去する。
【００３３】
ストレーナ本体８１は、略円筒状に形成される。ストレーナ本体８１は、小径部８１１と、大径部８１２と、メッシュ８１３と、を有する。
【００３４】
小径部８１１は、ストレーナ８の挿入方向の先端側、即ちストレーナ本体８１の上流側を構成し、略円環状に形成される。この小径部８１１は、後述する大径部８１２よりも小径となっている。なお、この小径部８１１の内周には、後述するゴミキャッチリング８３が脱着可能に取り付けられる。また、小径部８１１の外周には、円環状のＯリング８１ａが取り付けられており、これにより、第１流路６１とストレーナ８との密閉性が確保される。
【００３５】
大径部８１２は、ストレーナ８の挿入方向の基端側、即ちストレーナ本体８１の下流側を構成し、上述の小径部８１１より大径となっている。より詳しくは、大径部８１２は、小径部８１１の外周に取り付けられたＯリング８１ａの外径よりも大径となっている。この大径部８１２は、リブ８１２ａと、円環状部８１２ｂと、を有する。
【００３６】
リブ８１２ａは、周方向に略等間隔で４つ設けられている。これらのリブ８１２ａは、ストレーナ８の軸Ｘ方向、即ちストレーナ８の挿入方向に延び、上述の小径部８１１と後述する円環状部８１２ｂとを連結する。
円環状部８１２ｂは、リブ８１２ａとともに大径部８１２を構成し、上述の小径部８１１よりも大径となっている。
【００３７】
なお、小径部８１１の内径と大径部８１２の内径は、略同一となっている。即ち、小径部８１１の内周面と、大径部８１２のリブ８１２ａ及び円環状部８１２ｂの内周面は、互いに連なって形成されている。従って、大径部８１２のリブ８１２ａが従来よりも肉厚となっており、ストレーナ８の強度が向上している。
【００３８】
また、図５等に示すように、ストレーナ８の小径部８１１と大径部８１２との境界には、下流側ほど拡径するテーパ状のテーパ部８１４が形成されている。上述したように、第１流路６１を構成する下流側流路６１２の内周形状はストレーナ８の外周形状に沿った形状となっている。即ち、ストレーナ８は、第１流路６１の下流側流路６１２の内径に沿った外径を有する。そのため、下流側流路６１２を構成する小径流路６１２ａと大径流路６１２ｂとの境界にも、上記テーパ部８１４と同じ傾斜角度のテーパ部６１２ｄが形成されている。これにより、ストレーナ８を挿入する際に、小径部８１１を上流側によりガイドし易くなっている。
【００３９】
なお、ストレーナ８のテーパ部８１４と下流側流路６１２のテーパ部６１２ｄとの間には、軸Ｘ方向に所定の隙間が確保されている。これにより、後述するようにストレーナ８を取り外す際にゴミキャッチリング８３が下流側流路６１２内で外れてしまった場合には、上流側にストレーナ８をさらに押し込むことができ、ゴミキャッチリング８３をストレーナ８の先端に嵌め込んで取り出すことができるようになっている。
【００４０】
図３に示すように、メッシュ８１３は、上述の４つのリブ８１２ａの内周を覆うように設けられる。メッシュ８１３は濾過材として機能する。メッシュ８１３としては、樹脂製や金属製のものが用いられる。
【００４１】
連結部８２は、略円筒状に形成され、上述のストレーナ本体８１よりもその外径が小径である。連結部８２は、後述するキャップ９の雄ねじ部９ａの内径と略同一の外径を有し、雄ねじ部９ａの内周に嵌合することで、ストレーナ８にキャップ９が取り付け固定される。なお、連結部８２の外周には、円環状のＯリング８２ａが取り付けられており、これにより、ストレーナ８とキャップ９との密閉性が確保される。
【００４２】
ゴミキャッチリング８３は、ストレーナ本体８１を構成する小径部８１１の先端内周に脱着可能に取り付けられる。ゴミキャッチリング８３は、下流側に開口する円環状の溝部８３ａが形成された円環状部材により形成される。このゴミキャッチリング８３により、ストレーナ８のメッシュ８１３等から剥がれ落ちるゴミを溝部８３ａで受けることで、第１流路６１内の止水孔部６１３等にゴミが侵入するのが抑制される。
【００４３】
キャップ９は、略円柱状に形成される。キャップ９の上流側の外周には、雄ねじ部９ａが形成されている。この雄ねじ部９ａは、上述した下流側流路６１２の雌ねじ部６１２ｃに螺合する。なお、この雄ねじ部９ａの内周には、上述のストレーナ８の連結部８２がＯリング８２ａを介して嵌合される。
【００４４】
また、キャップ９の下流端面には、溝部９ｂと、円孔９ｃが形成されている。溝部９ｂに、例えばマイナスドライバ等を嵌合し、この状態で軸Ｘ回りに回転させることで、雄ねじ部９ａと雌ねじ部６１２ｃの螺合を介して第１流路６１の軸Ｘ方向におけるストレーナ８の位置が調整されるとともに、ストレーナ８が第１流路６１内に取り付け固定される。また、円孔９ｃには、上述の止水栓部材７が挿通され、止水栓部材７による第１流路６１の開閉は、この円孔９ｃからマイナスドライバ等を挿入することにより行われる。
【００４５】
次に、本実施形態に係る止水栓装置５０において特徴的なスピンドル７３の構造について、図８及び図９を参照して詳しく説明する。ここで、図８は、図５の要部拡大図である。図９は、図６の要部拡大図である。
本実施形態に係る止水栓部材７は、第１流路６１の下流側に後退して第１流路６１を開いたときには、ゴミキャッチリング８３とストレーナ８との間の隙間が大きく形成されるように構成される。また、第１流路６１の上流側に前進して第１流路６１を閉じたときには、上記隙間が小さく形成されるように構成される。
【００４６】
図８及び図９に示すように、スピンドル７３は、上流側小径部７３１と、大径部７３２と、下流側小径部７３３と、テーパ部７３４と、を有する。
【００４７】
上流側小径部７３１は、スピンドル７３の上流端を構成し、上述の雄ねじ部７２に接続される。この上流側小径部７３１は、略円筒状であり、後述する大径部７３２と比べて小径となっている。
【００４８】
また図８に示すように、上流側小径部７３１は、止水栓部材７が第１流路６１の下流側に後退して第１流路６１を開いたとき、即ち駒弁７１が弁座６１３ｂから脱座して通水状態となったときには、その軸Ｘ方向の位置がゴミキャッチリング８３の位置に重複して配置される。これにより、第１流路６１が開状態（通水状態）のときには、止水栓部材７とゴミキャッチリング８３との間に大きな隙間が形成され、必要な流量が確保されるようになっている。
【００４９】
大径部７３２は、スピンドル７３の軸方向の中央部を構成し、上述の上流側小径部７３１及び後述の下流側小径部７３３に接続される。この大径部７３２は、略円筒状であり、これら上流側小径部７３１及び下流側小径部７３３と比べて大径となっている。また、この大径部７３２は、ゴミキャッチリング８３の内径よりも僅かに小さい外径を有し、止水栓部材７の進退に伴って大径部７３２はゴミキャッチリング８３内を挿通できるようになっている。
【００５０】
また図９に示すように、大径部７３２は、止水栓部材７が第１流路６１の上流側に前進して第１流路６１を閉じたとき、即ち、駒弁７１が弁座６１３ｂに着座して止水状態となったときには、その軸Ｘ方向の位置がゴミキャッチリング８３の位置に重複して配置される。これにより、第１流路６１が閉状態（止水状態）のときには、止水栓部材７とゴミキャッチリング８３との間の隙間が狭められるため、メッシュ８１３から剥がれ落ちる異物を溝部８３ａ内に収容して捕集し易くなっており、異物が止水栓に侵入するのを抑制できるようになっている。
【００５１】
下流側小径部７３３は、スピンドル７３の下流端を構成する。この下流側小径部７３３は、略円筒状であり、上述の大径部７３２と比べて小径であるとともに上述の上流側小径部７３１と略同一径となっている。
【００５２】
テーパ部７３４は、上述の上流側小径部７３１と大径部７３２との境界に全周に亘って形成される。より詳しくは、このテーパ部７３４は、図８に示すように止水栓装置５０が開状態のときに、軸Ｘ方向の位置がストレーナ８の上流側の開口面８ａよりも下流側であり且つメッシュ８１３よりも上流側の位置に形成される。
【００５３】
このテーパ部７３４は、下流側ほど拡径するテーパ状に形成され、その傾斜角度は略４５度である。ただし、テーパ部７３４の傾斜角度は適宜変更可能である。また、テーパ部７３４は、止水栓装置５０が開状態の場合において、下流側流路６１２の底面部６１２ｅに形成された一対の切欠き部６１２ｆから流入し、軸Ｘ方向に沿って下流側に勢い良く流れる流水が直接衝突するように、径方向外側に十分突出して形成される。
【００５４】
以上の構成を備える本実施形態に係る止水栓装置５０の動作を、効果とともに併せて説明する。
先ず、例えばメンテナンスでストレーナ８の異物を取り除いた後に、止水栓装置５０にストレーナ８を取り付ける際には、その下流端にキャップ９が取り付けられ、その上流端にゴミキャッチリング８３が取り付けられた状態で、ストレーナ８を第１流路６１の下流側（下流端）から軸Ｘ方向に下流側流路６１２内に挿入する。このとき、第１流路６１には、既に止水栓部材７が取り付けられており、止水栓装置５０は止水状態となっている。
【００５５】
ここで、上述したように本実施形態では、ストレーナ８に、挿入方向の先端側（上流側）に形成された小径部８１１と、挿入方向の基端側（下流側）に形成され小径部８１１よりも外径が大きい大径部８１２と、を設けた。
これにより、大径部８１２を設けることで、第１流路６１（下流側流路６１２）の内周面との間の隙間を小さくできるため、大径部８１２がガイドの機能を発揮して、ストレーナ８が傾くのが抑制される。また、図６を参照すれば明らかであるように、ストレーナ８を第１流路６１の下流端から軸Ｘ方向に下流側流路６１２内に挿入していくと、ストレーナ８の大径部８１２が下流側流路６１２の内周面に沿って移動する。このとき、下流側流路６１２の内周形状はストレーナ８の外周形状に沿った形状となっており、下流側流路６１２の内周面とストレーナ８の大径部８１２の外周面との間には僅かな隙間しか形成されない。そのため、ストレーナ８の大径部８１２がガイドの機能をより確実に発揮するため、挿入時にストレーナ８が傾くのをより確実に抑制できる。従って本実施形態によれば、ストレーナ８を容易に取り付けることができ、組付け性が向上する。また、取り外しの際も同様であり、ストレーナ８が傾くのを抑制できるため、ストレーナ８を容易に取り外すことができ、組付け性が向上する。
【００５６】
また本実施形態では、ストレーナ８が脱着可能に取り付けられる第１流路６１の下流側流路６１２を、上流側に設けられた小径流路６１２ａと、この小径流路６１２ａの下流側に設けられ小径流路６１２ａよりも内径が大きい大径流路６１２ｂと、を含んで構成した。また、ストレーナ８の大径部８１２を、小径流路６１２ａの内径よりも大きくかつ大径流路６１２ｂの内径よりも小さい外径を有するように構成した。
これにより、下流側流路６１２（大径流路６１２ｂ）の内周面とストレーナ８の大径部８１２の外周面との間には僅かな隙間しか形成されず、大きな隙間が形成されるのを回避できるため、ストレーナ８の大径部８１２がガイドの機能を発揮でき、挿入時にストレーナ８が傾くのを抑制できる。
【００５７】
また本実施形態では、ストレーナ８の大径部８１２を、挿入方向（軸Ｘ方向）に延びる複数のリブ８１２ａを含んで構成した。これにより、上述したストレーナ８の大径部８１２のガイド機能がより確実に発揮され、上述の効果がより確実に発揮される。
【００５８】
また、従来では、ストレーナの先端側の外周にＯリング等の弾性部材が取り付けられていた場合には、脱着時にストレーナが傾くことで、弾性部材が流路内の角部等に接触して破損し、漏水の原因となるおそれがあった。
これに対して本実施形態では、ストレーナ８の小径部８１１の外周に環状の弾性部材としてのＯリング８１ａを取り付けているものの、上述した通りストレーナ８の脱着時にストレーナ８が傾くのを抑制できるため、Ｏリング８１ａが第１流路６１内の角部等に接触して破損するのを抑制でき、漏水のおそれを抑制できる。
【００５９】
また、従来では、ストレーナを取り外す際にストレーナが傾き、ストレーナの内側に配置されたスピンドルの外周面にストレーナの先端が接触することで、ストレーナの先端に取り付けられていたゴミキャッチリングが外れて流路内に落下し、取り残されてしまうことがあった。
これに対して本実施形態では、止水栓部材７を、ストレーナ８よりも上流側からストレーナ８の内側にまで延びて設けているにも関わらず、上述の不具合を抑制できる。即ち、本実施形態では、小径部８１１の先端の内周面に、下流側に開口する円環状の溝部８３ａが形成された環状部材としてのゴミキャッチリング８３を脱着可能に取り付けているものの、上述した通りストレーナ８を取り外す際にストレーナ８が傾くのを抑制できるため、ストレーナ８の先端が止水栓部材７に接触するのを抑制でき、ゴミキャッチリングが外れて流路内に取り残されてしまうのを抑制できる。
【００６０】
また上述した通り、止水栓装置５０はメンテナンス時には閉状態とされ、第１流路６１及び第２流路６２は止水状態とされる。このときは図６に示すように、作業者により、止水栓部材７は上流側に前進した位置に調整され、駒弁７１は弁座６１３ｂに着座している。そのため、給水元管から上流側流路６１１内に供給された流水は、止水孔部６１３を通過できない。これにより、第１流路６１及び第２流路６２は止水状態となる。
【００６１】
またこのとき、図９に示すように、大径部７３２は、その軸Ｘ方向の位置がゴミキャッチリング８３の位置に重複して配置される。これにより本実施形態によれば、第１流路６１が閉状態（止水状態）のときには、止水栓部材７とゴミキャッチリング８３との間の隙間が狭められるため、メッシュ８１３から剥がれ落ちる異物を溝部８３ａ内により確実に収容して捕集することができ、異物が止水栓に侵入するのをより確実に抑制できる。
【００６２】
なお、図９に示す例では、大径部７３２の上流端の軸方向の位置がゴミキャッチリング８３の位置に配置されている。これにより、第１流路６１が閉状態（止水状態）のときからすぐに、ゴミキャッチリング８３とストレーナ８との間に必要な隙間（流路）を確保することができる。ただしこれに限定されず、大径部７３２の中央部や下流側がゴミキャッチリング８３の位置に配置されていてもよい。
【００６３】
上述のようにしてストレーナ８を止水栓装置５０に取り付けた後、図５に示すように、止水栓装置５０を開状態とし、第１流路６１及び第２流路６２を通水状態とする。具体的には、止水栓部材７を下流側に後退させ、駒弁７１を弁座６１３ｂから脱座させる。これにより、給水元管から上流側流路６１１内に供給された流水は、止水孔部６１３を通過し、下流側流路６１２の上流側の底面部６１２ｅに形成された一対の切欠き部６１２ｆを通って（図７参照）、下流側流路６１２内に流入する。
【００６４】
またこのとき、図８に示すように、上流側小径部７３１は、その軸Ｘ方向の位置がゴミキャッチリング８３の位置に重複して配置される。これにより本実施形態によれば、第１流路６１が開状態（通水状態）のときには、止水栓部材７とゴミキャッチリング８３との間に大きな隙間を形成でき、必要な流量を確保できる。従って本実施形態によれば、必要な流量を確保しつつ、止水栓内への異物の侵入を抑制できる。
【００６５】
次いで、下流側流路６１２内に流入した流水は、ストレーナ８の内側に流入する。このとき、図８に示すように、ストレーナ８の内側に流入して軸Ｘ方向に沿って下流側に勢い良く流れる流水は、スピンドル７３の外周に形成されたテーパ部７３４に衝突する。すると、図８の黒矢印で示すように、テーパ部７３４近傍で流水の乱流が生じる。これにより、流水は、勢い（速度）が弱められた状態で、止水栓部材７とメッシュ８１３との間を下流に向かって流れる。そして、外周側に向かって略直角に流路が曲げられた後、メッシュ８１３を通過して異物が除去されてから第２流路６２へと導かれる。従って、流水の勢い（速度）は既に弱められているため、略直角に流路が曲げられても乱流が発生することを抑制できる。即ち本実施形態によれば、メッシュ８１３の近傍で乱流が生じることがないため、メッシュ８１３の破損を抑制できる。
【００６６】
また、本実施形態によれば、止水栓部材７の形状を変更することにより乱流を抑制できるため、乱流抑制対策として別途部材を準備したり、別途加工する必要がない。そのため、部品点数や工数を削減できるとともに、組付け性が向上し、コストも削減できる。
さらには、止水栓部材７の上流側小径部７３１は、流水の流量を所定量以上確保するために、所定以下の小径でなければならない。その一方で、上流側小径部７３１の下流側においては、ストレーナ８と止水栓部材７の間の空間を狭めることで乱流を効果的に抑制できることから、本実施形態のテーパ部７３４は、流量を確保しつつ乱流を抑制できる好ましい構造であると言える。また、テーパ部７３４を形成するためにスピンドル７３を大径化することから、止水栓部材７の強度を向上することもできる。
【００６７】
以上により、第２流路６２に接続された給水管４１が通水状態となり、便器装置１００に流水が供給される。
【００６８】
なお、本発明は上記実施形態に限定されるものではなく、本発明の目的を達成できる範囲での変形、改良等は本発明に含まれる。
【００６９】
上記実施形態では、第１流路６１と第２流路６２が互いに直交する構成としたが、これに限定されない。これら流路が互いに交差していればよい。
【００７０】
上記実施形態では、ガイド部としてテーパ部７３４を設けたが、これに限定されない。例えば、ガイド部として段部を設けてもよく、軸方向に延びて上流側ほど深い縦溝をスピンドルの外周に形成してもよい。
【符号の説明】
【００７１】
６…本体部
７…止水栓部材
８…ストレーナ
８ａ…開口面
５０…止水栓装置
６１…第１流路
６２…第２流路
７３４…テーパ部（ガイド部）
８１３…メッシュ（濾過材）
【図１】
0006510856.tif 000002
【図２】
0006510856.tif 000003
【図３】
0006510856.tif 000004
【図４】
0006510856.tif 000005
【図５】
0006510856.tif 000006
【図６】
0006510856.tif 000007
【図７】
0006510856.tif 000008
【図８】
0006510856.tif 000009
【図９】
0006510856.tif 000010